Podtech/llm-jp-corpus-v4-ja_patent huggingface dataset:
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
ａ）有効量の、ショクヨウガヤツリの皮、ショクヨウガヤツリの根茎、またはそれらの組み合わせの抽出物、または
ｂ）有効量の、マンギフェリン、ノラチリオール、またはマンギフェリンもしくはノラチリオールを含んでなる抽出物、または
ｃ）（ａ）と（ｂ）との相乗的組み合わせ、
を含んでなる、ニコチン含有製品またはアルコールに対する欲求を低下させるための組成物。
【請求項２】
前記組成物が、シータ波活動およびアルファ１／アルファ２比を低下させるための有効量にて投与される、請求項１に記載の組成物。
【請求項３】
前記組成物が食物に対する欲求もまた低下させるものであり、前記組成物が、シータ波活動、ベータ波活動、およびアルファ１／アルファ２比を低下させるための有効量にて投与される、請求項２に記載の組成物。
【請求項４】
前記組成物が、前記ショクヨウガヤツリの皮、ショクヨウガヤツリの根茎、またはそれらの組み合わせの抽出物を含んでなる、請求項１に記載の組成物。
【請求項５】
前記組成物が、ショクヨウガヤツリ根茎の皮の含水アルコール抽出物を含んでなる、請求項１に記載の組成物。
【請求項６】
前記ショクヨウガヤツリの皮、ショクヨウガヤツリの根茎、またはそれらの組み合わせの前記有効量が、１用量あたり２０ｍｇ〜２０ｇである、請求項１に記載の組成物。
【請求項７】
前記組成物が、前記有効量の、マンギフェリン、ノラチリオール、またはマンギフェリンもしくはノラチリオールを含んでなる抽出物を含んでなる、請求項１に記載の組成物。
【請求項８】
前記マンギフェリンまたは前記ノラチリオールの前記有効量が、１用量あたり２０ｍｇ〜５ｇである、請求項７に記載の組成物。
【請求項９】
前記組成物が、前記（ａ）と（ｂ）との相乗的組み合わせを含んでなる、請求項１に記載の組成物。
【請求項１０】
前記（ａ）と前記（ｂ）の比が、約１：１〜約５０：１である、請求項９に記載の組成物。
【請求項１１】
前記組成物が、５−ヒドロキシトリプトファン、ビタミンＢ群、カフェイン、シチコリン、シトルリン、コリン、ピコリン酸クロム、コエンザイムＱ１０、クルクミン、グリコマクロペプチド、フペルジン、ヒドロキシクエン酸、Ｌ−カルニチン、Ｌ−カルノシン、Ｌ−トリプトファン、ルテオリン、イボガイン、マグネシウム、Ｎ−メチルチラミン、オレアミド、オメガ３脂肪酸、オクトパミン、フェニルアラニン、フェニルエチルアミン、ホスファチジルセリン、ホスファチジルセリン、ケルセチン、ラズベリーケトン、ルチン、レスベラトロール、シネフリン、タウリン、タキシフォリン、テアニン、テオブロミン、キサントフモール、ヤンゴニン、ヨヒンビン、エクジステロイド（２０ＨＥ）、淡水性ラン藻およびその他の藍藻、アスコフィラム・ノドサム、クロレラおよびその他の微細藻類の抽出物、アフラモムム、アロイジア、アルピニア、アストラガルス、バコパ、キャプシカム、カラルマ、チコリウム、シナモマム、シザー（Ｃｉｓｅｒ）、シッサス、クロッカス、センテラ、シトラス、コカ、コーラ、クルクマ、コフィア、セラストラス、カメリア、エレウテロコックス、エフェドラ、エウテルペ、ガルシニア、ギンコ、ガノデルマ、グリシリザ、グリフォニア、ギムネマ、フーディア、ホルデウム、イカリン、イレックス、イポメア、イルビンギア、ケンペリア、オシマム、オレア、オレガノ、ポーリニア（Ｐａｕｌｌｉｎｉａ）、パナックス、ペルセア、ファセオルス、ピヌス、プルヌス、ファフィア、パイパー、プエラリア、ピューニカ、ロディオラ、ラポンチカム（Ｒｈａｐｏｎｔｉｃｕｍ）、シサンドラ、キンゴジカ、シデリティス、シモンディア（Ｓｉｍｏｎｄｉａ）、ソラヌム、タベルナンテ、タマリンダス、テオブロマ、トラゴポゴン、トリコカウロン、トリゴネラ、ビキア、ビグナ、ヴィティス、ウィザニア、ショウガ、ナツメ属の植物種の抽出物、ガラクトマンナンを含む非でんぷん性多糖類、グアーガム、ローカストビーンガム、タラガム、イスパキュラ、βグルカン、コンニャクグルコマンナン、メチルセルロース、トラガカント・ゴム、デタリウム、およびそれらの混合物からなる群から選択される有効成分をさらに含んでなる、請求項１に記載の組成物。
【請求項１２】
高カロリーの食物、甘味飲料および菓子の少なくとも１つに対する欲求を低下させるため、または食欲を低下させ、満腹感を向上させるためにヒトに使用される、
ａ）有効量の、ショクヨウガヤツリの皮、ショクヨウガヤツリの根茎、またはそれらの組み合わせの抽出物、および
有効量の、マンギフェリン、ノラチリオール、またはマンギフェリンもしくはノラチリオールを含んでなる抽出物
との相乗的組み合わせを含んでなるか、または
ｂ）有効量の、マンギフェリン、ノラチリオール、またはマンギフェリンもしくはノラチリオールを含んでなる抽出物を含んでなり、ここで、有効量のマンギフェリンまたはノラチリオールが２０ｍｇ乃至５ｇ単位用量の範囲にある、
組成物。
【請求項１３】
前記ヒトがカロリー摂取の低下を試みるものであり、前記組成物が、当該ヒトにおけるベータ波活動を低下させるための有効量にて投与される、請求項１２に記載の組成物。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
次式の化合物：
【化１】
2020504156.tif 000001
またはその薬学的に許容される塩。
【請求項２】
化合物が、式
【化２】
2020504156.tif 000002
の化合物である、請求項１記載の化合物、またはその薬学的に許容される塩。
【請求項３】
化合物が、式
【化３】
2020504156.tif 000003
の化合物である、請求項１記載の化合物、またはその薬学的に許容される塩。
【請求項４】
請求項１または２記載の化合物、またはその薬学的に許容される塩、および薬学的に許容される担体を含む組成物。
【請求項５】
請求項１または２記載の化合物、またはその薬学的に許容される塩、および薬学的に許容される担体を含む、ＨＤＡＣ活性を阻害するための組成物。
【請求項６】
請求項１または２記載の化合物、またはその薬学的に許容される塩、および薬学的に許容される担体を含む、神経学的障害、記憶もしくは認知機能障害または機能障害、学習消去障害、真菌性疾患もしくは感染、炎症性疾患、血液疾患、精神障害、および新生物性疾患から選択される状態を治療するための組成物。
【請求項７】
前記状態が、
ａ．アルツハイマー病、ハンチントン病、発作による記憶喪失、統合失調症、ルビンスタインテイビー症候群、レット症候群、うつ病、脆弱性Ｘ、レビー小体型認知症、血管性認知症、前頭側頭葉変性症（前頭側頭型認知症、ＦＴＤ）、ＦＴＤ−ＧＲＮ、ＡＤＨＤ、失読症、双極性障害ならびに自閉症、外傷性頭部損傷、注意欠陥障害、不安障害、条件付き恐怖応答、パニック障害、強迫性障害、心的外傷後ストレス障害（ＰＴＳＤ）、恐怖症、社交不安障害、物質依存の回復、加齢関連性記憶障害（ＡＡＭＩ）、加齢関連性認知機能低下（ＡＲＣＤ）、運動失調症、パーキンソン病、もしくはパーキンソン病型認知症に関連する社会的障害、認知障害および学習障害に関連する認知機能障害または機能障害；または
ｂ．急性骨髄性白血病、急性前骨髄球性白血病、急性リンパ芽球性白血病、慢性骨髄性白血病、骨髄異形成症候群、および鎌状赤血球貧血から選択される血液疾患；または
ｃ．新生物性疾患；または
ｄ．恐怖消去および心的外傷後ストレス障害から選択される学習消去障害
である、請求項６に記載の組成物。
【請求項８】
前記状態が、アルツハイマー病、ハンチントン病、前頭側頭型認知症、フリードライヒ失調症、心的外傷後ストレス障害（ＰＴＳＤ）、パーキンソン病、または物質依存の回復である、請求項７に記載の組成物。
【手続補正２】
【補正対象書類名】明細書
【補正対象項目名】０１２３
【補正方法】変更
【補正の内容】
【０１２３】
本出願全体において引用されたすべての参考文献（参考文献、発行された特許、公開特許出願、および同時係属中の特許出願など）の内容は、参照によりその全体が本明細書に明確に組み込まれる。他に定義されない限り、本明細書で使用されるすべての技術的および科学的用語は、当業者に一般的に知られている意味に一致する。
発明の態様
［態様１］次式の化合物：
【化４】
2020504156.tif 000004
またはその薬学的に許容される塩。
［態様２］態様１記載の化合物、またはその薬学的に許容される塩、および薬学的に許容される担体を含む組成物。
［態様３］対象においてＨＤＡＣ活性を阻害する方法であって、有効量の態様１に記載の化合物もしくはその薬学的に許容される塩、または態様２に記載の組成物をそれを必要とする前記対象に投与する工程を含む、方法。
［態様４］神経学的障害、記憶もしくは認知機能障害または機能障害、学習消去障害、真菌性疾患もしくは感染、炎症性疾患、血液疾患、精神障害、および新生物性疾患から選択される対象における状態を治療する方法であって、有効量の態様１に記載の化合物、またはその薬学的に許容される塩、または態様２に記載の組成物をそれを必要とする前記対象に投与することを含む、方法。
［態様５］前記状態が、
ａ．アルツハイマー病、ハンチントン病、発作による記憶喪失、統合失調症、ルビンスタインテイビー症候群、レット症候群、うつ病、脆弱性Ｘ、レビー小体型認知症、血管性認知症、前頭側頭葉変性症（前頭側頭型認知症、ＦＴＤ）、ＦＴＤ−ＧＲＮ、ＡＤＨＤ、失読症、双極性障害ならびに自閉症、外傷性頭部損傷、注意欠陥障害、不安障害、条件付き恐怖応答、パニック障害、強迫性障害、心的外傷後ストレス障害（ＰＴＳＤ）、恐怖症、社交不安障害、物質依存の回復、加齢関連性記憶障害（ＡＡＭＩ）、加齢関連性認知機能低下（ＡＲＣＤ）、運動失調症、パーキンソン病、もしくはパーキンソン病型認知症に関連する社会的障害、認知障害および学習障害に関連する認知機能障害または機能障害；または
ｂ．急性骨髄性白血病、急性前骨髄球性白血病、急性リンパ芽球性白血病、慢性骨髄性白血病、骨髄異形成症候群、および鎌状赤血球貧血から選択される血液疾患；または
ｃ．新生物性疾患；または
ｄ．恐怖消去および心的外傷後ストレス障害から選択される学習消去障害
である、態様４に記載の方法。
［態様６］前記状態が、アルツハイマー病、ハンチントン病、前頭側頭型認知症、フリードライヒ失調症、心的外傷後ストレス障害（ＰＴＳＤ）、パーキンソン病、または物質依存の回復である、態様５に記載の方法。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
以下の式の化合物
【化１】
2020504142.tif 000001
またはその薬学的に許容される塩。
【請求項２】
２位のメチルが、ピペリジン環上で、４位の酸素に対してシス立体配置にある、請求項１に記載の化合物またはその薬学的に許容される塩。
【化２】
2020504142.tif 000002
【請求項３】
前記化合物が、Ｎ−［４−フルオロ−５−［［（２Ｓ，４Ｓ）−２−メチル−４−［（５−メチル−１，２，４−オキサジアゾール−３−イル）メトキシ］−１−ピペリジル］メチル］チアゾール−２−イル］アセトアミドである、請求項１または請求項２に記載の化合物またはその薬学的に許容される塩。
【請求項４】
Ｎ−［４−フルオロ−５−［［（２Ｓ，４Ｓ）−２−メチル−４−［（５−メチル−１，２，４−オキサジアゾール−３−イル）メトキシ］−１−ピペリジル］メチル］チアゾール−２−イル］アセトアミドである、請求項３に記載の化合物。
【請求項５】
前記化合物が結晶質であり、０．２度の回折角の許容差を有する、１５．３°、２１．６°、２２．２°、２２．７°、２３．５°、２４．３°、および２６．８°からなる群より選択される１つ以上のピークと組み合わせた、１２．１°の回折角２θにおけるＸ線粉末回折スペクトルのピークを特徴とする、請求項４に記載の化合物。
【請求項６】
請求項１〜５のいずれか一項に記載の化合物、またはその薬学的に許容される塩を含む、患者におけるアルツハイマー病を治療するための薬学的組成物。
【請求項７】
患者における軽度認知障害からアルツハイマー病への進行を治療する方法であって、そのような治療を必要とする患者に、有効量の、請求項１〜５のいずれか一項に記載の化合物、またはその薬学的に許容される塩を含む、患者における軽度認知障害からアルツハイマー病への進行を治療するための薬学的組成物。
【請求項８】
請求項１〜５のいずれか一項に記載の化合物、またはその薬学的に許容される塩を含む、患者における進行性核上麻痺を治療するための薬学的組成物。
【請求項９】
アルツハイマー病の治療のための薬剤の製造のための、請求項１〜５のいずれか一項に記載の化合物、またはその薬学的に許容される塩の使用。
【請求項１０】
軽度認知障害のアルツハイマー病への進行を予防するための薬剤の製造のための、請求項１〜５のいずれか一項に記載の化合物、またはその薬学的に許容される塩の使用。
【請求項１１】
進行性核上麻痺の治療のための薬剤の製造のための、請求項１〜５のいずれか一項に記載の化合物、またはその薬学的に許容される塩の使用。
【請求項１２】
療法における使用のための、請求項１〜５のいずれか一項に記載の化合物、またはその薬学的に許容される塩。
【請求項１３】
アルツハイマー病の治療における使用のための、請求項１〜５のいずれか一項に記載の化合物、またはその薬学的に許容される塩。
【請求項１４】
軽度認知障害のアルツハイマー病への進行を予防する上での使用のための、請求項１〜５のいずれか一項に記載の化合物、またはその薬学的に許容される塩。
【請求項１５】
進行性核上麻痺を治療する上での使用のための、請求項１〜５のいずれか一項に記載の化合物、またはその薬学的に許容される塩。
【請求項１６】
請求項１〜５のいずれか一項に記載の化合物またはその薬学的に許容される塩を、１つ以上の薬学的に許容される担体、希釈剤、または賦形剤とともに含む、薬学的組成物。
【請求項１７】
薬学的組成物を調製するためのプロセスであって、請求項１〜５のいずれか一項に記載の化合物またはその薬学的に許容される塩を、１つ以上の薬学的に許容される担体、希釈剤、または賦形剤と混合することを含む、プロセス。
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
（ｉ）３つのＣＤＲを含むＶＨ鎖及び（ｉｉ）３つのＣＤＲを含むＶＬ鎖を含む抗ＯＸ４０抗体であって、
ＶＨＣＤＲ１がアミノ酸配列GFTFSRYGMS（配列番号１０１）、ＶＨＣＤＲ２が、アミノ酸配列TINSNGGRTYYPDSVKG（配列番号１０２）、ＶＨＣＤＲ３がアミノ酸配列EGITTAYAMDY（配列番号１０３）、ＶＬＣＤＲ１がアミノ酸配列KASQSVDYDGDSYMH（配列番号１０４）、ＶＬＣＤＲ２がアミノ酸配列AASILES（配列番号１０５）及びＶＬＣＤＲ３がアミノ酸配列QQSNEDPRT（配列番号１０６）を有する、
抗ＯＸ４０抗体。
【請求項２】
モノクローナルである、請求項１に記載の抗ＯＸ４０抗体。
【請求項３】
ヒト化されている、請求項１に記載の抗ＯＸ４０抗体。
【請求項４】
アミノ酸配列
EVQLVESGGGLVQPGGSLRLSCAASGFTFSRYGMSWVRQAPGKGLELVATINSNGGRTYYPDSVKGRFTISRDNAKNSLYLQMNSLRAEDTAVYYCAREGITTAYAMDYWGQGTTVTVSS（配列番号２２）を有するＶＨ鎖及び
アミノ酸配列
DIVMTQSPDSLAVSLGERATINCKASQSVDYDGDSYMHWYQQKPGQPPKLLIYAASILESGVPDRFSGSGSGTDFTLTISSLQAEDVAVYYCQQSNEDPRTFGGGTKVEIK（配列番号３２）を有するＶＬ鎖を含む、請求項３に記載の抗ＯＸ４０抗体。
【請求項５】
ＩｇＧである、請求項１〜４のいずれか一項に記載の抗ＯＸ４０抗体。
【請求項６】
ＩｇＧ１である、請求項５に記載の抗ＯＸ４０抗体。
【請求項７】
配列番号４１又は４２で表されるアミノ酸配列を有する重鎖及び配列番号５１で表されるアミノ酸配列を有する軽鎖を含む、請求項４に記載の抗ＯＸ４０抗体。
【請求項８】
請求項１〜７のいずれか一項に記載の抗ＯＸ４０抗体をコードするヌクレオチド配列を含む１以上の核酸。
【請求項９】
請求項８に記載の１以上の核酸を含む、１以上のベクター。
【請求項１０】
請求項９に記載の１以上のベクターで形質転換された真核宿主細胞。
【請求項１１】
請求項８に記載の１以上の核酸を発現するように操作された真核宿主細胞。
【請求項１２】
哺乳動物宿主細胞である、請求項１０又は１１に記載の真核宿主細胞。
【請求項１３】
抗ＯＸ４０抗体を産生する方法であって、（ａ）請求項１０又は請求項１１に記載の宿主細胞を培養するステップ及び（ｂ）抗ＯＸ４０抗体を回収するステップを含む方法。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
５ｍｇ／ｍｌ〜５００ｍｇ／ｍｌのシロリムスを含む、哺乳動物の対象における前立腺癌を処置するための液体製剤であって、前記対象の前立腺に局所的に投与されることを特徴とする液体製剤。
【請求項２】
シロリムスの投与が、処置前の前立腺癌の体積と比較して、前立腺癌の体積の減少をもたらす、請求項１に記載の液体製剤。
【請求項３】
腫瘍内注射されることを特徴とする、請求項１又は２に記載の液体製剤。
【請求項４】
前記対象の血液中の前立腺血清抗原（ＰＳＡ）レベルが、シロリムスの投与の前において４ｎｇ／ｍｌ〜１０ｍｇ／ｍｌである、請求項１〜３のいずれか１項に記載の液体製剤。
【請求項５】
シロリムスの投与の前に前立腺癌の生検が行われることを特徴とする、請求項１〜４のいずれか１項に記載の液体製剤。
【請求項６】
前記前立腺癌の細胞がｍＴＯＲを発現する及び／又は前記前立腺癌がホルモン不応性前立腺癌である、請求項１〜５のいずれか１項に記載の液体製剤。
【請求項７】
前記前立腺癌が５〜１０のグリーソンスコアを有する、請求項１〜６のいずれか１項に記載の液体製剤。
【請求項８】
前記前立腺癌が、限局期の癌、局所期の癌又は遠隔転移期の癌である、請求項１〜７のいずれか１項に記載の液体製剤。
【請求項９】
シロリムスの投与が、前立腺癌に対する放射線療法、アンドロゲン除去療法、及び／又は化学療法に加えて行われる、請求項１〜８のいずれか１項に記載の液体製剤。
【請求項１０】
シロリムスの投与が、（ｉ）放射線療法若しくはアンドロゲン除去療法後、又は（ｉｉ）ドセタキセルを含む化学療法レジメンの後に前立腺癌が再発した後に開始される、請求項１〜９のいずれか１項に記載の液体製剤。
【請求項１１】
週１回または週２回の頻度で繰り返し投与されることを特徴とする、請求項１〜１０のいずれか１項に記載の液体製剤。
【請求項１２】
１年あたり２〜５２週間繰り返し投与されることを特徴とする、請求項１１に記載の液体製剤。
【請求項１３】
１０ｍｇ／ｍｌ〜２５ｍｇ／ｍｌのシロリムスを含む、請求項１〜１２のいずれか１項に記載の液体製剤。
【請求項１４】
０．５重量％〜３５重量％のシロリムスを含む、請求項１〜１３のいずれか１項に記載の液体製剤。
【請求項１５】
ポリエチレングリコール（ＰＥＧ）を含む、請求項１〜１４のいずれか１項に記載の液体製剤。
【請求項１６】
エタノールをさらに含む、請求項１５に記載の液体製剤。
【請求項１７】
２．０％（ｗ／ｗ）のシロリムス、９４％（ｗ／ｗ）のポリエチレングリコール４００、４％（ｗ／ｗ）のエタノールを含む、請求項１〜１６のいずれか１項に記載の液体製剤。
【請求項１８】
前記哺乳動物の対象がヒトである、請求項１〜１７のいずれか１項に記載の液体製剤。
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
１００ｎｍ未満の結晶子サイズを有するゼオライトＳＳＺ−３２ｘを合成する方法であって：
（ａ）以下を含む反応混合物を調製すること；
（１）酸化ケイ素源；
（２）酸化アルミニウム源；
（３）ジプロピルアミン（Ｑ）；
（４）フッ化物イオン源；および
（５）水；ならびに
（ｂ）該反応混合物を前記ゼオライトの結晶を形成するのに十分な結晶化条件に供すること
を含む、方法であって、
該酸化ケイ素源および該酸化アルミニウム源が、ゼオライトＹ、シリカ上にコーティングされたアルミニウムゾル、及びそれらの組み合わせからなる群より選ばれる、上記方法。
【請求項２】
前記反応混合物が、モル比で以下の組成を有する、請求項１に記載の方法：
【表１】
2020504698.tif 000001
【請求項３】
前記反応混合物が、モル比で以下の組成を有する、請求項１に記載の方法：
【表２】
2020504698.tif 000002
【請求項４】
前記結晶化条件が１２５℃〜２００℃の温度を含む、請求項１に記載の方法。
【請求項５】
少なくとも５０のＳｉＯ２／Ａｌ２Ｏ３モル比を有し、かつ１００ｎｍ未満の結晶子サイズを有するＳＳＺ−３２ｘゼオライト。
【請求項６】
前記ＳｉＯ２／Ａｌ２Ｏ３モル比が５０〜５００である、請求項５に記載のＳＳＺ−３２ｘゼオライト。
【請求項７】
その孔にジプロピルアミンをさらに含む、請求項５に記載のＳＳＺ−３２ｘゼオライト。
【請求項８】
有機化合物を含む供給原料を転化生成物に転化するプロセスであって、有機化合物転化条件で、該供給原料を、請求項５に記載の活性形態のＳＳＺ−３２ｘゼオライトを含む触媒と接触させることを含む、プロセス。
【請求項９】
前記ＳＳＺ−３２ｘゼオライトが１５〜６０ｎｍの結晶子サイズを有する、請求項１に記載の方法。
【請求項１０】
１５〜６０ｎｍの結晶子サイズを有する、請求項５に記載のＳＳＺ−３２ｘゼオライト。
【手続補正２】
【補正対象書類名】明細書
【補正対象項目名】００７３
【補正方法】変更
【補正の内容】
【００７３】
結果は、最大異性化に達する温度が、例４の触媒よりも例５の触媒の方が低いことを示している。これは例５の触媒中のアルミニウムのより高い組み込みによるものと考えられる。例４および５の触媒両方とも、ＳＳＺ−３２ｘが非常に狭い細孔のゼオライトであるので、生成物が望ましくない多分枝Ｃ１０異性体を実質的に含まないことを示している。
なお、下記［１］から［８］は、いずれも本発明の一形態又は一態様である。
［１］
ゼオライトＳＳＺ−３２ｘを合成する方法であって：
（ａ）以下を含む反応混合物を調製すること；
（１）酸化ケイ素源；
（２）酸化アルミニウム源；
（３）ジプロピルアミン（Ｑ）；
（４）フッ化物イオン源；および
（５）水；ならびに
（ｂ）該反応混合物を前記ゼオライトの結晶を形成するのに十分な結晶化条件に供すること
を含む、方法。
［２］
前記反応混合物が、モル比で以下の組成を有する、［１］に記載の方法：
【表４】
2020504698.tif 000003
［３］
前記反応混合物が、モル比で以下の組成を有する、［１］に記載の方法：
【表５】
2020504698.tif 000004
［４］
前記結晶化条件が１２５℃〜２００℃の温度を含む、［１］に記載の方法。
［５］
少なくとも５０のＳｉＯ２／Ａｌ２Ｏ３モル比を有するＳＳＺ−３２ｘゼオライト。
［６］
前記ＳｉＯ２／Ａｌ２Ｏ３モル比が５０〜５００である、［５］に記載のＳＳＺ−３２ｘゼオライト。
［７］
その孔にジプロピルアミンをさらに含む、［５］に記載のＳＳＺ−３２ｘゼオライト。
［８］
有機化合物を含む供給原料を転化生成物に転化するプロセスであって、有機化合物転化条件で、該供給原料を、［５］に記載の活性形態のＳＳＺ−３２ｘゼオライトを含む触媒と接触させることを含む、プロセス。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ゲームシステムであって、
ボードであって、前記ボードのボード平面に対し実質的に垂直に位置決めされた複数のペグを含み、前記複数のペグは、前記ボード平面の外縁間にわたる複数の列及び十字の列に配置され、前記複数の列内の前記複数のペグは、前記複数のペグが前記ボード平面のスタート端とゴール端との間にわたる十字の列を形成し、前記十字の列間に通路を有するように位置合わせされ、前記複数の列のうちの最小で１つ、最大で４つの列がオフセット列であり、オフセット列は、前記十字の列間の前記通路のうちのそれぞれの通路内に各々が配置される複数のオフセットペグを含み、前記複数のペグはボールがその間を通過し得るように構成される、ボードと、
互いに位置合わせされた前記複数のペグのうちの少なくとも２つのペグに結合される少なくとも１つの除去可能なディフレクタであって、前記少なくとも１つのディフレクタは、前記少なくとも１つのディフレクタを通じて配置された少なくとも１つのディフレクタペグ穴を含み、前記少なくとも１つのディフレクタペグ穴は、前記複数のペグのうちの前記少なくとも２つのペグのうちのペグの周りに配置される、少なくとも１つの除去可能なディフレクタと、
前記複数のペグのうちの少なくとも２つの他のペグに結合される少なくとも１つの除去可能なゴール壁であって、少なくとも１つのゴールが前記少なくとも１つの除去可能なゴール壁に配置された少なくとも１つのゴールペグ穴を含み、前記少なくとも１つのゴールペグ穴は前記少なくとも２つの他のペグのうちのペグの周りに配置され、前記少なくとも１つのゴールは、前記ボールをその中に受けるように構成される、少なくとも１つの除去可能なゴール壁と、
前記ボードに結合され、前記ボード平面の前記スタート端が持ち上げられて前記ボード平面と水平面との間に角度を形成するように構成される、土台と
を備える、ゲームシステム。
【請求項２】
前記少なくとも１つのゴールは、前記複数の列のうちのゴール列内の前記少なくとも２つの他のペグに結合され、前記ゴール列は、前記ボード平面の前記ゴール端に配置される、請求項１に記載のゲームシステム。
【請求項３】
前記少なくとも１つのディフレクタは、前記複数のペグのうちの２つの隣接するペグに結合されるシングルディフレクタ、前記複数のペグのうちの３つの位置合わせされたペグに結合されるダブルディフレクタ、又は前記複数のペグのうちの４つの位置合わせされたペグに結合されるトリプルディフレクタのうちの少なくとも１つである、請求項１に記載のゲームシステム。
【請求項４】
ダブルディフレクタは、３つの位置合わせされたペグの第１の共通ペグを共有する２つのシングルディフレクタを含み、トリプルディフレクタは３つのシングルディフレクタを含み、該３つのシングルディフレクタの各々は、該３つのシングルディフレクタのうちの少なくとも１つの他のシングルディフレクタと第２の共通ペグを共有する、請求項３に記載のゲームシステム。
【請求項５】
前記角度は約１０°と約６０°との間である、請求項１に記載のゲームシステム。
【請求項６】
前記ゴール壁は、前記ボールを受けるように構成される前記少なくとも２つの他のペグ間のレセプタクルエリアを形成する単一の材料を含む、請求項１に記載のゲームシステム。
【請求項７】
前記ゴール壁はＵ字形状である、請求項１に記載のゲームシステム。
【請求項８】
ゲームシステムであって、
ボードであって、前記ボードのボード平面に対し実質的に垂直に位置決めされた複数のペグを含み、前記複数のペグは、前記ボード平面の外縁間にわたる複数の列及び十字の列に配置され、前記複数の列内の前記複数のペグは、前記複数のペグが前記ボード平面のスタート端とゴール端との間にわたる十字の列を形成し、前記十字の列間に通路を有するように位置合わせされ、前記複数の列のうちの最小で１つ、最大で４つの列がオフセット列であり、オフセット列は、前記十字の列間の前記通路のうちのそれぞれの通路内に各々が配置される複数のオフセットペグを含み、前記複数のペグはボールがその間を通過し得るように構成される、ボードと、
互いに位置合わせされた前記複数のペグのうちの少なくとも２つのペグに結合される少なくとも１つの除去可能なディフレクタと、
前記複数のペグのうちの少なくとも２つの他のペグに結合される少なくとも１つの除去可能なゴール壁であって、前記ボールを受けるように構成される、少なくとも１つの除去可能なゴール壁と、
前記ボードに結合され、前記ボード平面の前記スタート端が持ち上げられて前記ボード平面と水平面との間に角度を形成するように構成される、土台と
を備える、ゲームシステム。
【請求項９】
前記少なくとも１つのディフレクタは、前記複数のペグのうちの２つの隣接するペグに結合されるシングルディフレクタ、前記複数のペグのうちの３つの位置合わせされたペグに結合されるダブルディフレクタ、又は前記複数のペグのうちの４つの位置合わせされたペグに結合されるトリプルディフレクタのうちの少なくとも１つである、請求項８に記載のゲームシステム。
【請求項１０】
前記ゴール壁はＵ字形状である、請求項８に記載のゲームシステム。
【請求項１１】
前記ボールは、金属、木、ポリマー材料、ガラス、又はエラストマー材料のうちの少なくとも１つを含む、請求項８に記載のゲームシステム。
【請求項１２】
前記角度は約１０°と約６０°との間である、請求項８に記載のゲームシステム。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
昆虫の軟部由来のクチクラの分離を含む昆虫の処理方法であって、前記分離が、ベルトセパレータを使用して行われる、方法。
【請求項２】
前記昆虫の軟部を成熟させる工程をさらに含む、請求項１に記載の方法。
【請求項３】
前記昆虫の軟部を、脂肪画分、固体画分及び水性画分に分離する工程を含む、請求項１又は２の何れか１項に記載の方法。
【請求項４】
請求項３に記載の方法によって得られる固体画分。
【請求項５】
少なくとも７１重量％のタンパク質を含み、及び０．１〜２重量％のキチンを含む固体画分であって、当該重量％が、前記固体画分の総乾燥重量に対して示される、固体画分。
【請求項６】
前記水性画分を濃縮する工程を含む、請求項３に記載の方法。
【請求項７】
請求項３又は６の何れか１項に記載の方法によって得られる水性画分。
【請求項８】
少なくとも４８重量％のタンパク質、少なくとも２重量％のトレハロースを含み、及び７重量％未満の脂質含有量を有する水性画分であって、当該重量％が、前記水性画分の総乾燥重量に対して示される、水性画分。
【請求項９】
混合物を得るために、前記固体画分を：
-濃縮水性画分の全部又は一部； 及び／又は
-クチクラの全部又は一部、
と混ぜる工程をさらに含む、請求項３又は６の何れか１項に記載の方法。
【請求項１０】
乾燥固体画分又は乾燥混合物をそれぞれ得るために、前記固体画分又は前記混合物を乾燥する工程を含む、請求項３又は９の何れか１項に記載の方法。
【請求項１１】
前記乾燥固体画分又は前記乾燥混合物を粉砕する工程をさらに含む、請求項１０に記載の方法。
【請求項１２】
請求項１１に記載の方法によって得られる粉末。
【請求項１３】
少なくとも７１重量％のタンパク質を含み、０．１〜４重量％キチンを含む粉末であって、当該重量％が、粉末の前記総乾燥重量に対して示される、粉末。
【請求項１４】
少なくとも６５重量％のタンパク質、少なくとも１０重量％の炭水化物を含み、及び０．１〜２重量％のキチンを含む粉末であって、当該重量％が、粉末の前記総乾燥重量に対して示される、粉末。
【請求項１５】
請求項７又は８の何れか１項に記載の水性画分、又は請求項１４に記載の粉末の香味料としての使用。
【請求項１６】
栄養摂取における、請求項１２〜１４の何れか１項に記載の粉末の使用。
【請求項１７】
動物の栄養摂取における、請求項１５又は１６の何れか１項に記載の使用。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
その内部に穴を有する加圧可能なエンクロージャ用のシーリング機器において、可撓性のスリーブを備え、前記スリーブは、前記穴で前記エンクロージャにシール係合する第１端と、前記スリーブ内に四肢を通過させることを可能にする第２端と、を有し、前記スリーブは前記エンクロージャ内で終端し、前記スリーブは、前記エンクロージャの内部と外部との間の圧力勾配に応答してシーリング係合を形成するために前記四肢と前記スリーブとの間でその物理的構成を変えるように構成されている、シーリング機器。
【請求項２】
前記スリーブが、３０ｃｍＨ２Ｏ以上の周囲に対する圧力で非正角度進行構成を有する材料を備える、請求項１に記載のシーリング機器。
【請求項３】
前記スリーブが、ラテックス又はシリコーン、高密度ポリエチレン、低密度ポリエチレン、ナイロン織物、ケブラ織物、及びテリレン織物のうちの１つ又は複数を備える可撓性材料を備える、請求項１に記載のシーリング機器。
【請求項４】
複数の接触センサが前記四肢と前記シーリング機器又は前記加圧可能エンクロージャの剛性部分との接触を検知するように、前記スリーブ及び前記圧力管理システムに対して配設される前記複数の接触センサをさらに備える、請求項１に記載のシーリング機器。
【請求項５】
複数の圧力センサが前記シーリング機器又は前記加圧可能エンクロージャの剛性部分によって前記四肢上に及ぼされる圧力を検知するように、前記スリーブ及び前記加圧可能エンクロージャに対して配設される前記複数の圧力センサをさらに備える、請求項１に記載のシーリング機器。
【請求項６】
前記スリーブが、複数のバッテンをさらに備え、各バッテンが、前記軸方向に堅く、前記バッテンが前記エンクロージャから外への前記スリーブの変形に抵抗するように前記スリーブに実装される、請求項１に記載のシーリング機器。
【請求項７】
前記スリーブが、前記穴との前記係合から遠くよりも、前記穴との前記係合の近くで、より大きい軸方向剛性を有する、請求項１に記載のシーリング機器。
【請求項８】
前記スリーブが、前記穴との前記係合から、前記穴との前記係合から遠い領域まで、滑らかに減少する軸方向剛性を有する、請求項７に記載のシーリング機器。
【請求項９】
前記スリーブが蛇腹折りで構成されて、容積の周囲を上回る圧力が前記蛇腹折りを圧縮するような、折り曲げに対する抵抗を有する、請求項１に記載のシーリング機器。
【請求項１０】
前記スリーブ材料が、前記四肢の前記表面との低い摩擦係数を有する、請求項９に記載のシーリング機器。
【請求項１１】
前記スリーブ蛇腹折りが、前記四肢をシール係合する前記スリーブの圧縮より小さい圧力で圧縮される、請求項９に記載のシーリング機器。
【請求項１２】
前記スリーブが、薄いシリコーン、厚いシリコーン、又はそれらの組合せを備える可撓性材料を備える、請求項１に記載のシーリング機器。
【請求項１３】
前記四肢が前記スリーブの前記遠位端を越えて前記エンクロージャに延在するように、前記スリーブが構成される、請求項１に記載のシーリング機器。
【請求項１４】
前記シールが、３０ｃｍＨ２０より小さい圧力で、非正角度進行構成を得るために、その物理的構成を変える、請求項１に記載のシーリング機器。
【請求項１５】
前記エンクロージャが周囲を上回るように加圧されたとき、前記スリーブが、前記肢に所定の閾値を上回る圧力をもたらさない、請求項１に記載のシーリング機器。
【請求項１６】
前記スリーブが、
前記エンクロージャの内側へのアクセスを可能にする開口への近位取り付けと、
前記四肢を円周方向に取り囲む遠位開口と、を有し、
前記スリーブの物理的構成の変更が前記エンクロージャにおける圧力上昇によって特徴づけられ、前記遠位スリーブの前記部分を前記四肢に対して圧縮させて、同時に、前記開口の近くの前記スリーブの要素が軸方向引張を受ける、請求項１に記載のシーリング機器。
【請求項１７】
前記材料の圧縮抵抗が前記四肢の軸に直交するよりも前記四肢の前記軸と一直線に並ぶ方が大きいような構成において、前記スリーブが非対称の材料特性を有する空気抵抗性のある材料を備える、請求項１に記載のシーリング機器。
【請求項１８】
その内部に穴を有する加圧可能なエンクロージャ用のシーリング機器において、可撓性のスリーブを備え、前記スリーブは、前記穴で前記エンクロージャにシール係合する第１端と、前記スリーブ及び前記エンクロージャ内に四肢を通過させることを可能にする第２端と、を有し、前記スリーブは前記エンクロージャ内で終端し、前記スリーブは、前記エンクロージャの内部と外部との間の圧力勾配に応答してシーリング係合を形成するために前記四肢と前記スリーブとの間でその物理的構成を変えるように構成されており、前記スリーブが、前記エンクロージャの穴と前記四肢との間の隙間を有する前記エンクロージャに取り付けられ、前記エンクロージャが加圧されたときの前記シールと前記四肢との間の摩擦と、軸方向の変形に対する前記スリーブの抵抗とによる力が、第１の所定の閾値を上回る圧力での前記隙間における圧力による前記シール上の力に少なくとも等しい、四肢シール機器。
【請求項１９】
前記エンクロージャが加圧されたときの前記シールと前記四肢との間の摩擦と、軸方向の変形に対する前記スリーブの抵抗とによる力が、第２の所定の閾値より小さい圧力での前記隙間における圧力による前記シール上の前記力より小さい、請求項１８に記載の四肢シール機器。
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
レーザエネルギービームを生成し、
スキャンレンズと交差するビーム経路に沿って前記レーザエネルギービームを案内し、
前記スキャンレンズに前記レーザエネルギービームを伝搬させ、
前記スキャンレンズの第１の領域内で前記ビーム経路を偏向して、前記スキャンレンズを伝搬した前記レーザエネルギービームで第１のワークピースを加工し、
前記スキャンレンズの前記第１の領域内で前記ビーム経路を偏向した後、前記スキャンレンズの第２の領域内で前記ビーム経路を偏向して、前記スキャンレンズを伝搬した前記レーザエネルギービームで第２のワークピースを加工する、
方法。
【請求項２】
レーザエネルギービームを生成し、
スキャンレンズと交差するビーム経路に沿って前記レーザエネルギービームを案内し、
前記スキャンレンズに前記レーザエネルギービームを伝搬させ、
前記スキャンレンズの第１の領域内で前記ビーム経路を偏向して、前記スキャンレンズを伝搬した前記レーザエネルギービームで第１のワークピースを加工し、
前記スキャンレンズの前記第１の領域内で前記ビーム経路を偏向した後、前記スキャンレンズの第２の領域内で前記ビーム経路を偏向して、前記スキャンレンズを伝搬した前記レーザエネルギービームで前記第１のワークピースを加工する、
方法。
【請求項３】
レーザエネルギービームを生成し、
スキャンレンズと交差するビーム経路に沿って前記レーザエネルギービームを案内し、
前記スキャンレンズに前記レーザエネルギービームを伝搬させ、
前記スキャンレンズのスキャン領域内で前記ビーム経路を偏向して、前記スキャンレンズを伝搬した前記レーザエネルギービームで第１のワークピースを加工し、前記スキャン領域は、前記スキャンレンズの第１の領域を占め、
前記スキャンレンズの前記第１の領域内で前記ビーム経路を偏向した後、前記スキャン領域が前記スキャンレンズの第２の領域を占めるように前記スキャン領域をシフト方向にシフトし、前記スキャンレンズの前記第２の領域内で前記ビーム経路を偏向して、前記スキャンレンズを伝搬した前記レーザエネルギービームで前記第１のワークピースを加工する、
方法。
【請求項４】
前記レーザエネルギービームは、複数のレーザパルスを含む、請求項１、２又は３のいずれかの方法。
【請求項５】
前記複数のレーザパルスは、10ps未満のパルス持続時間を有する、請求項４の方法。
【請求項６】
前記第１の領域は、前記第２の領域と重なる、請求項１、２又は３のいずれかの方法。
【請求項７】
前記第１の領域は、前記第２の領域と重ならない、請求項１、２又は３のいずれかの方法。
【請求項８】
前記第１の領域は、前記第２の領域から離間している、請求項７の方法。
【請求項９】
前記スキャンレンズの前記第１の領域内で前記ビーム経路を偏向する際に、第１のビーム経路偏向ルートに沿って前記ビーム経路を偏向し、
前記スキャンレンズの前記第２の領域内で前記ビーム経路を偏向する際に、前記第１のビーム経路偏向ルートに沿って前記ビーム経路を偏向する、
請求項１、２又は３のいずれかの方法。
【請求項１０】
さらに、前記第１の領域内で前記ビーム経路を偏向した後、前記スキャン領域をシフトする前に、前記スキャン領域のシフトを補償するように前記第１のワークピースと前記スキャンレンズとの間で相対移動を生じさせる、請求項３の方法。
【請求項１１】
前記第１のワークピースと前記スキャンレンズとの間で相対移動を生じさせる際に、前記シフト方向とは反対の方向に前記第１のワークピースを移動させる、請求項10の方法。
【請求項１２】
前記第１のワークピースと前記スキャンレンズとの間で相対移動を生じさせる際に、前記シフト方向に前記スキャンレンズを移動させる、請求項10の方法。
【請求項１３】
前記スキャンレンズの前記第１の領域内で前記ビーム経路を偏向する際に、第１のビーム経路偏向ルートに沿って前記ビーム経路を偏向し、
前記スキャンレンズの前記第２の領域内で前記ビーム経路を偏向する際に、前記第１のビーム経路偏向ルートとは異なる第２のビーム経路偏向ルートに沿って前記ビーム経路を偏向する、
請求項１、２又は３のいずれかの方法。
【請求項１４】
ビーム経路に沿って伝搬可能なレーザエネルギービームを生成するように構成されるレーザ源と、
前記ビーム経路内に配置されたスキャンレンズと、
前記ビーム経路内に配置され、前記スキャンレンズに対して前記ビーム経路を偏向するように構成される少なくとも１つの第１のポジショナと、
前記少なくとも１つの第１のポジショナと通信可能に連結されたコントローラであって、
前記少なくとも１つの第１のポジショナが応答する１以上の制御信号を生成するように構成されるプロセッサと、
前記プロセッサによりアクセス可能なコンピュータメモリであって、前記プロセッサにより実行された際に請求項１から13のいずれか一項に記載された方法を実施する命令が格納されたコンピュータメモリと
を含むコントローラと
を備える、
装置。
【請求項１５】
ワークピースを支持し、前記スキャンレンズに対して前記ワークピースを移動するように構成される少なくとも１つの第２のポジショナをさらに備える、請求項14の装置。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
ジフェン酸残基にアミド結合によって共に共有結合される２つの化合物を含むホモ二量体であって、前記化合物が独立して式（Ｉ）：
【化１】
2020504080.tif 000001
［式中、
Ｒ１は、Ｈであり；
Ｒ２は、Ｈであり；
Ｒ３は、ＣＨ３であり；
Ｒ４は、Ｈであり；
Ｒ５は、式−Ｃ（Ｏ）ＮＲ＊＊Ｒ＊＊＊のアミド（式中、Ｒ＊＊は、Ｈであり、Ｒ＊＊＊は、ｔｅｒｔ−ブチルである）であり；
Ｒ６は、Ｒ７と共にＰｒｏのピロリジン環を形成し；
Ｒ８は、Ｈであり；
ｎは、１であり； 
Ｚは、アミノ酸のアミノ末端であり；Ｌに隣接する−Ｃ＝Ｏ−は、アミノ酸のカルボキシ末端であり；かつＺおよび−Ｃ＝Ｏ−と共にＬは、以下の式：
Ｘｙ−Ｘｚ−Ｘ１−Ｘ２−Ｘ３
を有するペプチドであり、
式中、Ｘｙは、３−アミノメチル−４−［４−（１−ピペラジニル）−フェニル］−安息香酸であり；
Ｘｚは、なく；
Ｘ１は、ロイシンであり；
Ｘ２は、Ａｓｐであり；および
Ｘ３は、Ｔｈｒである］
である、ホモ二量体。
【請求項２】
薬学的に許容される担体と共に請求項１に記載のホモ二量体を含む医薬組成物。
【請求項３】
経口送達、局所送達または非経口送達のために調製される、請求項２に記載の医薬組成物。
【請求項４】
患者において炎症または自己免疫疾患の処置に使用するための、請求項１に記載のホモ二量体。
【請求項５】
前記炎症または自己免疫疾患が胃腸管系である、請求項４に記載の使用のためのホモ二量体。
【請求項６】
炎症性腸疾患（ＩＢＤ）；潰瘍性大腸炎；クローン病；セリアック疾患；血清反応陰性関節症、顕微鏡的大腸炎、膠原線維性大腸炎、好酸球性胃腸炎、放射線療法、化学療法に関連する腸疾患；直腸結腸切除と回腸肛門吻合の後に生じる回腸嚢炎；胃腸癌；膵臓炎；インスリン依存性糖尿病；乳腺炎；胆嚢炎；胆管炎；胆管周囲炎；慢性気管支炎；慢性副鼻腔炎；喘息；原発性硬化性胆管炎；胃腸管におけるヒト免疫不全ウイルス（ＨＩＶ）感染症；好酸性喘息；好酸性食道炎；胃炎；大腸炎；顕微鏡的大腸炎；移植片対宿主病；放射線療法もしくは化学療法に伴う大腸炎；白血球粘着不全症１型、慢性肉芽腫症、糖尿病１ｂ型、ヘルマンスキー・パドラック症候群、チェディアック・東症候群、ウィスコット・アルドリッチ症候群のような自然免疫障害に伴う大腸炎からなる群から選択される状態または疾患の処置に使用するための、請求項１に記載のホモ二量体。
【請求項７】
前記炎症または自己免疫疾患が、膵臓炎、インスリン依存性糖尿病、乳腺炎、胆嚢炎、胆管炎、胆管周囲炎、慢性気管支炎、慢性副鼻腔炎、喘息または移植片対宿主病である、請求項４に記載の使用のためのホモ二量体。
【請求項８】
前記炎症が炎症性腸疾患である、請求項４に記載の使用のためのホモ二量体。
【請求項９】
前記炎症性腸疾患が潰瘍性大腸炎である、請求項８に記載の使用のためのホモ二量体。
【請求項１０】
前記炎症性腸疾患がクローン病である、請求項８に記載の使用のためのホモ二量体。
【請求項１１】
ウイルスまたはレトロウイルスの局所感染症もしくは全身感染症の治療に使用するための、請求項１に記載のホモ二量体。
【請求項１２】
前記ウイルスまたはレトロウイルスがエコーウイルス１型および８型、エコーウイルス９型／Ｂａｒｔｙ株、ヒトパピローマウイルス、ハンタウイルス、ロタウイルス、アデノウイルス、口蹄疫ウイルス、コクサッキーウイルスＡ９型、ヒトパレコウイルス１型またはヒト免疫不全ウイルス１型である、請求項１１に記載の使用のためのホモ二量体。
【請求項１３】
患者において疾患または状態の処置に使用するための請求項１に記載のホモ二量体であって、前記疾患または状態がＡ型肝炎、Ｂ型肝炎もしくはＣ型肝炎、肝性脳症、非アルコール性脂肪性肝炎、硬変症、静脈瘤出血、ヘモクロマトーシス、ウィルソン病、チロシン血症、α１アンチトリプシン欠損症、糖原病、肝細胞癌、肝癌、原発性胆汁性胆管炎、原発性硬化性胆管炎、原発性胆管硬化症、胆道疾患、自己免疫性肝炎、または移植片対宿主病から選択される、ホモ二量体。
【請求項１４】
前記患者がヒトである、請求項４〜１３のいずれか１項に記載の使用のためのホモ二量体。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
ヒト腫瘍壊死因子様タンパク質１Ａ（ＴＬ１Ａ）に結合する抗体又は抗原結合フラグメントであって、ここで、抗体又は抗原結合フラグメントは、ＳＥＱ  ＩＤ  ＮＯ：６−８の重鎖相補性決定領域（ＣＤＲ）及びＳＥＱ  ＩＤ  ＮＯ：１４−１６の軽鎖相補性決定領域（ＣＤＲ）を含んでいる基準抗体と、ヒトＴＬ１Ａへの結合を競合する、抗体又は抗原結合フラグメント。
【請求項２】
基準抗体はＳＥＱ  ＩＤ  ＮＯ：５を含む重鎖可変領域及びＳＥＱ  ＩＤ  ＮＯ：１３を含む軽鎖可変領域を含む、請求項１に記載の抗体又は抗原結合フラグメント。
【請求項３】
基準抗体は、
（ｉ）ＳＥＱ  ＩＤ  ＮＯ：３５を含む重鎖可変領域及びＳＥＱ  ＩＤ  ＮＯ：４０を含む軽鎖可変領域；
（ｉｉ）ＳＥＱ  ＩＤ  ＮＯ：３６を含む重鎖可変領域及びＳＥＱ  ＩＤ  ＮＯ：４１を含む軽鎖可変領域；
（ｉｉｉ）ＳＥＱ  ＩＤ  ＮＯ：３７を含む重鎖可変領域及びＳＥＱ  ＩＤ  ＮＯ：４２を含む軽鎖可変領域；
（ｉｖ）ＳＥＱ  ＩＤ  ＮＯ：３８を含む重鎖可変領域及びＳＥＱ  ＩＤ  ＮＯ：４３を含む軽鎖可変領域；あるいは、
（ｖ）ＳＥＱ  ＩＤ  ＮＯ：３９を含む重鎖可変領域及びＳＥＱ  ＩＤ  ＮＯ：４４を含む軽鎖可変領域；
を含む、請求項１に記載の抗体又は抗原結合フラグメント。
【請求項４】
抗体又は抗原結合フラグメントは、モノクローナル抗体、キメラ抗体、ＣＤＲ移植抗体、ヒト化抗体、Ｆａｂ、Ｆａｂ’、Ｆ（ａｂ’）２、Ｆｖ、ジスルフィド結合Ｆｖ、ｓｃＦｖ、単一ドメイン抗体、ダイアボディ、多特異性抗体、二重特異性抗体、抗イディオタイプ抗体、二重特異性抗体、又はそれらの組み合わせである、請求項１乃至３の何れか１つに記載の抗体又は抗原結合フラグメント。
【請求項５】
抗体又は抗原結合フラグメントは、ヒト化抗体である、請求項４に記載の抗体又は抗原結合フラグメント。
【請求項６】
抗体又は抗原結合フラグメントは、表面プラズモン共鳴によって決定される基準抗体と競合する、請求項１に記載の抗体又は抗原結合フラグメント。
【請求項７】
抗体又は抗原結合フラグメントは、表面プラズモン共鳴Ｐｒｅ−Ｍｉｘアッセイにおいて、基準抗体と、ヒトＴＬ１Ａへの結合を競合し、ここで、抗体又は抗原結合フラグメントはヒトＴＬ１Ａと予め複合され、および、基準抗体は固定される、請求項１乃至６のいずれか１つに記載の抗体又は抗原結合フラグメント。
【請求項８】
請求項１乃至７の何れか１つに記載の治療上有効な量の抗体又は抗原結合フラグメント及び薬学的に許容可能な担体を含む、医薬組成物。
【請求項９】
請求項１乃至７の何れか１つに記載の抗体又は抗原結合フラグメントをコードする核酸。
【請求項１０】
被験体の炎症性腸疾患の処置に使用するための、請求項１乃至７の何れか１つに記載の抗体又は抗原結合フラグメント。
【請求項１１】
炎症性腸疾患はクローン病、潰瘍性大腸炎、あるいは医学的に難治性の潰瘍性大腸炎、又はそれらの組み合わせを含む、請求項１０に記載の抗体又は抗原結合フラグメント。
【請求項１２】
被験体はＴＬ１Ａを過剰発現する、請求項１０に記載の抗体又は抗原結合フラグメント。
【請求項１３】
被験体は炎症性腸疾患に関連付けられるリスク変異体を含む、請求項１０に記載の抗体又は抗原結合フラグメント。
【請求項１４】
被験体は、以前に第２の治療薬による処置を受けたことがある、請求項１０に記載の抗体又は抗原結合フラグメント。
【請求項１５】
第２の治療薬は抗腫瘍壊死因子（ＴＮＦ）α抗体を含む、請求項１０に記載の抗体又は抗原結合フラグメント。